(57)【要約】【課題】衛生性能を向上させることができる収納庫を得る。【解決手段】下足箱１０の下足箱本体１２内には、下足ハンガ４０が配設されている。底板１２Ａの下方には温風装置４６が設置されており、温風装置４６から送給された温風が縦パイプ４２を通ってから横パイプ４４に流れ、更に吹付け部５０に流れて温風が下足５８内に吹き付けられる。さらに、底板１２Ａには消臭フィルタ６４が設置されており、その下方には床下換気扇６８が設置されている。従って、濡れた下足５８等を収納させても、短時間で乾燥させることができ、消臭もすることができる。よって、衛生性能を向上させることができる。【選択図】図２
2008183134.tif 000002
【特許請求の範囲】
【請求項１】
建物の屋内に設置される収納庫本体と、
この収納庫本体内又は外部に設置されて温風を生成する温風生成手段と、
この収納庫本体内に設置され、収納物を所定の収納状態に保持すると共に温風生成手段から供給された温風を収納物に直接吹き付けて収納物を乾燥させる収納物乾燥手段と、
を有することを特徴とする収納庫。
【請求項２】
前記収納物乾燥手段は、温風を吹き付ける吹付け部を有しており、当該吹付け部の一部又は全部が前記収納物の内部に挿入された状態で収納物の収納状態とされている、
ことを特徴とする請求項１記載の収納庫。
【請求項３】
前記収納庫本体には、作動することにより収納庫本体の内気を床下空間へ排気する換気手段が設けられている、
ことを特徴とする請求項１又は請求項２記載の収納庫。
【請求項４】
前記換気手段は、床下空間の空気が収納庫本体内へ流入するのを阻止する逆流防止機能を備えている、
ことを特徴とする請求項３記載の収納庫。
【請求項５】
前記換気手段は収納庫本体の内気を床下空間へ排出する換気口を備えていると共に、当該換気口は建物の基礎近傍に配置されている、
ことを特徴とする請求項３又は請求項４記載の収納庫。
【請求項６】
前記収納庫本体内に設けられ、収納庫本体の内気の湿度を検出する湿度検出手段と、
この湿度検出手段によって検出された湿度が所定値以上の場合に前記収納物乾燥手段を作動させる制御手段と、
を有することを特徴とする請求項１乃至請求項５のいずれか一項に記載の収納庫。
【請求項７】
前記吹付け部は、複数の温風吹出し口が形成されたパイプ材で構成されている、
ことを特徴とする請求項２乃至請求項６のいずれか一項に記載の収納庫。
【請求項８】
前記換気手段による換気経路には、脱臭・消臭手段が設けられている、
ことを特徴とする請求項３乃至請求７のいずれか一項に記載の収納庫。
【発明の詳細な説明】
【技術分野】
【０００１】
本発明は、湿気の多い収納物を収納するのに好適な収納庫に関する。
【背景技術】
【０００２】
下記特許文献１には、家屋に設けられた収納庫内の湿度を下げて収納庫内壁及び収納物に対する結露を防止する技術が開示されている。簡単に説明すると、この文献に開示された技術では、収納庫に給気路と循環路を設け、収納庫内の圧力を部屋の圧力よりも高く維持することで、湿度の高い部屋の空気が収納庫内に流入するのを防止するようになっている。
【特許文献１】特公平７−１０９７号公報
【発明の開示】
【発明が解決しようとする課題】
【０００３】
しかしながら、上記特許文献１に開示された先行技術による場合、収納物が布団等である場合には問題ないが、下足箱のように収納物が湿気やすい靴等の下足であった場合には、充分な換気や乾燥を行うことが難しく、又臭いの処理に対してはなす術を持たないという課題がある。なお、湿気が多い収納物を長時間収納しておくと、黴が発生して胞子が舞うことがあり、又臭気も下足箱から居住空間へ洩れ出ると快適な居住性が損なわれる。従って、上記先行技術は、これらの衛生性能について改善の余地があった。
【０００４】
本発明は上記事実を考慮し、衛生性能を向上させることができる収納庫を得ることが目的である。
【課題を解決するための手段】
【０００５】
請求項１の発明に係る収納庫は、建物の屋内に設置される収納庫本体と、この収納庫本体内又は外部に設置されて温風を生成する温風生成手段と、この収納庫本体内に設置され、収納物を所定の収納状態に保持すると共に温風生成手段から供給された温風を収納物に直接吹き付けて収納物を乾燥させる収納物乾燥手段と、を有することを特徴とする。
【０００６】
請求項２の発明は、請求項１記載の収納庫において、前記収納物乾燥手段は、温風を吹き付ける吹付け部を有しており、当該吹付け部の一部又は全部が前記収納物の内部に挿入された状態で収納物の収納状態とされている、ことを特徴とする。
【０００７】
請求項３の発明は、請求項１又は請求項２記載の収納庫において、前記収納庫本体には、作動することにより収納庫本体の内気を床下空間へ排気する換気手段が設けられている、ことを特徴とする。
【０００８】
請求項４の発明は、請求項３記載の収納庫において、前記換気手段は、床下空間の空気が収納庫本体内へ流入するのを阻止する逆流防止機能を備えている、ことを特徴とする。
【０００９】
請求項５の発明は、請求項３又は請求項４記載の収納庫において、前記換気手段は収納庫本体の内気を床下空間へ排出する換気口を備えていると共に、当該換気口は建物の基礎近傍に配置されている、ことを特徴とする。
【００１０】
請求項６の発明は、請求項１乃至請求項５のいずれか一項に記載の収納庫において、前記収納庫本体内に設けられ、収納庫本体の内気の湿度を検出する湿度検出手段と、この湿度検出手段によって検出された湿度が所定値以上の場合に前記収納物乾燥手段を作動させる制御手段と、を有することを特徴とする。
【００１１】
請求項７の発明は、請求項１乃至請求項６のいずれか一項に記載の収納庫において、前記吹付け部は、複数の温風吹出し口が形成されたパイプ材で構成されている、ことを特徴とする。
【００１２】
請求項８の発明は、請求項３乃至請求７のいずれか一項に記載の収納庫において、前記換気手段による換気経路には、脱臭・消臭手段が設けられている、ことを特徴とする。
【００１３】
請求項１記載の本発明によれば、収納庫本体内には収納物乾燥手段が設置されており、収納物はこの収納物乾燥手段に所定の収納状態で保持される。
【００１４】
ここで、収納庫本体内又は外部には温風生成手段が設置されており、この温風生成手段によって生成された温風が収納物乾燥手段に供給されて収納物に直接吹き付けられる。従って、収納物は短時間で乾燥される。よって、湿気の多い収納物も迅速に乾き、黴の発生や臭気の発生を抑制することができる。
【００１５】
請求項２記載の本発明によれば、収納物乾燥手段が有する吹付け部の一部又は全部を収納物の内部に挿入させた状態で収納物の収納状態としたので、収納物はその内部から温風が吹き付けられて乾燥される。従って、内部に温風が入り難い形状・構造の収納物（例えば、下足等）であっても、収納物の内側から温風を吹付けて乾燥させることができる。
【００１６】
請求項３記載の本発明によれば、収納庫本体には換気手段が設けられており、換気手段を作動させると、収納庫本体の内気が床下空間へ排気される。従って、収納物を乾燥させた温風が居住空間に排気されることはない。例えば、夏季等において湿気を多く含んだ収納物が収納庫に収納された場合、収納庫本体内は高温多湿環境下になることがあり、この状態で収納物乾燥手段によって収納物を乾燥させた際に、黴の胞子等が舞うことも考えられるが、換気手段によって収納庫本体の内気が床下空間へ排気されることにより、居住空間に黴の胞子等が侵入することを防ぐことができる。
【００１７】
請求項４記載の本発明によれば、換気手段が床下空間の空気が収納庫本体内へ流入するのを阻止する逆流防止機能を有するので、換気手段の停止時において床下空間へ排出した排気が再び換気手段を通って収納庫本体内へ流入することがなくなる。
【００１８】
請求項５記載の本発明によれば、換気手段の換気口を建物の基礎近傍に配置したので、換気手段によって換気口から排出された収納庫本体の内気が自然の通気によって建物外部へ排出される。つまり、一般に建物の基礎には床下空間と外気との通気性を確保するための通気口や隙間が設けられているので、基礎近傍に換気口を配置して収納庫本体の内気を床下空間へ排出するようにすれば、基礎の内側から外側へ流れる気流によって、乾燥後の内気を自然に建物外部へ排気される。換言すれば、本発明によれば、設備を利用した強制換気ではなく自然換気を利用して収納庫本体の乾燥後の内気を建物外部へ排出することができる。
【００１９】
請求項６記載の本発明によれば、収納庫本体内に設けられた湿度検出手段の検出結果が所定値以上であると、制御手段によって収納物乾燥手段が作動される。従って、収納庫内の湿度管理を自動的に行うことができる。
【００２０】
請求項７記載の本発明によれば、収納物乾燥手段の吹付け部が複数の温風吹出し口が形成されたパイプ材で構成されているため、比較的容易に製作することができる。
【００２１】
請求項８記載の本発明によれば、換気手段による換気経路に脱臭・消臭手段を設けたので、収納物を乾燥させるだけでなく、収納物が発する臭いも取り除くことができる。
【発明の効果】
【００２２】
以上説明したように、請求項１記載の本発明に係る収納庫は、収納物乾燥手段によって収納物に直接温風を吹き付けて収納物を乾燥させるようにしたので、衛生性能を向上させることができるという優れた効果を有する。
【００２３】
請求項２記載の本発明に係る収納庫は、内部に温風が入り難い形状・構造の収納物をも短時間で効果的に乾燥させることができるという優れた効果を有する。
【００２４】
請求項３記載の本発明に係る収納庫は、収納庫本体の内気を換気手段で排気することができるので、衛生性能を更に向上させることができるという優れた効果を有する。
【００２５】
請求項４記載の本発明に係る収納庫は、排気手段が逆流防止機能を有するので、衛生性能をより一層向上させることができるという優れた効果を有する。
【００２６】
請求項５記載の本発明に係る収納庫は、設備を利用した強制換気ではなく自然換気を利用して収納庫本体の乾燥後の内気を建物外部へ排出することができるので、衛生性能の向上と節電（省エネ）を両立させることができるという優れた効果を有する。
【００２７】
請求項６記載の本発明に係る収納庫は、収納庫本体の内気の湿度を検出する湿度検出手段及びその検出結果に基づいて収納物乾燥手段を作動させる制御手段を有するので、収納物を常に最適な状態で収納し続けることができるという優れた効果を有する。
【００２８】
請求項７記載の本発明に係る収納庫は、収納物乾燥手段の吹付け部を複数の温風吹出し口が形成されたパイプ材で構成したので、低コストで製作することができるという優れた効果を有する。
【００２９】
請求項８記載の本発明に係る収納庫は、収納物が発する臭いも除去することができるので、衛生性能を臭気除去の観点から向上させることができるという優れた効果を有する。
【発明を実施するための最良の形態】
【００３０】
以下、図１〜図３を用いて、本発明に係る収納庫の一実施形態について説明する。
【００３１】
図１には、本実施形態に係る収納庫としての下足箱１０の側面側から見た縦断面図が示されている。また、図２には、当該下足箱１０の正面側から見た縦断面図が示されている。
【００３２】
これらの図に示されるように、下足箱１０は、収納庫本体としての下足箱本体１２を備えている。下足箱本体１２は箱体形状に形成されており、底板１２Ａ、左右一対の側板１２Ｂ、カウンタ（天板）１２Ｃ、背板１２Ｄを備えている。また、下足箱本体１２の正面側は開放面とされており、ヒンジ回りに開閉する扉１４（図１参照）が設けられている。なお、扉１４の開閉形式はどのようなものでもよく、引き違い式の引戸でもよいし、他の形式でもよい。さらに、下足箱本体１２の底板１２Ａの下面側には矩形枠状に組まれた幅木１５が配設されている。
【００３３】
図１に示されるように、上述した下足箱１０は、建物としてのユニット住宅１６の玄関１８に設置されている。玄関１８はそれ専用の建物ユニット２０に設けられており、予め工場で下足箱１０も取り付けられている。下足箱１０は建物ユニット２０の床パネル２２の床仕上げ面２４上に外壁パネル２６を背にして配置されている。なお、床パネル２２は矩形枠状に組まれた床大梁２８と所定の間隔で配置された床小梁３０とを含んでフレームが構成されており、その上面に床材３２が取り付けられて構成されている。また、建物ユニット２０は基礎３４上に据付けられており、建物ユニット２０の据付け後の状態では、床パネル２２の下方に床下空間３６が形成されていると共に、外壁パネル２６と基礎３４との間に僅かな隙間３８が設けられている。
【００３４】
次に、図１〜図３を用いて、下足箱１０の内部構造及び周辺機器について説明する。
【００３５】
図２に示されるように、下足箱本体１２の所定位置には、収納物乾燥手段としての下足ハンガ４０が配置されている。下足ハンガ４０は、下足箱本体１２の側板１２Ｂに沿って立設されたパイプ状の縦パイプ４２と、この縦パイプ４２の側部三箇所からカウンタ１２Ｃに沿って平行に延出された上下三段の横パイプ４４とを含んで構成されている。縦パイプ４２の下端部は床板１２Ａを貫通して床板１２Ａの下側に配置された温風生成手段としての温風装置４６に接続されている。温風装置４６は、下足箱本体１２の側板１２Ｂの外側上部に配設された制御手段としてのコントローラ４８に接続されており、コントローラ４８に設けられた「乾燥・換気モード」ボタンを押すことにより作動され、温風を生成し、縦パイプ４２内へ温風を送給するようになっている。なお、縦パイプ４２の上端部は閉止されている。
【００３６】
一方、縦パイプ４２に片持ち支持された横パイプ４４の基端部は縦パイプ４２に連通されており、又先端部は閉止されている。各横パイプ４４の長手方向の所定位置には、二組の吹付け部５０が並列的に配設されている。吹付け部５０は、横パイプ４４から斜め上方側へ平行に延出された２本で一対の支持パイプ５２と、この支持パイプ５２に挿嵌されたコ字状の挿入パイプ５４とによって構成されている。支持パイプ５２の基端部は横パイプ４４に連通されており、又先端部は閉止されている。また、支持パイプ５２の周壁部には多数の温風噴出口（図示省略）が形成されている。この一対の支持パイプ５２には、コ字状に屈曲された挿入パイプ５４の両側部５４Ａが挿入されている。なお、挿入パイプ５４の両側部５４Ａの内径は支持パイプ５２の外径よりも大きく設定されており、又挿入パイプ５４自体の周壁部にも多数の温風噴出口５６が形成されている。そして、この吹付け部５０に、収納物としての下足５８（図１及び図２に二点鎖線で図示）を挿し掛けて収納するようになっている。
【００３７】
さらに、上述した下足箱本体１２の底板１２Ａの所定位置には、貫通孔６０が形成されており、この貫通孔６０には脱臭・消臭手段としての消臭フィルタ６４が交換可能に装着されている。なお、図１には消臭フィルタ６４を軸方向に見た平面図が付記されているが、この消臭フィルタ６４はゴミが入り難いようにメッシュ加工されており、又交換時の作業性を考慮して一対の指掛かり６６が形成されている。この指掛かり６６に指をかけて引き抜けば簡単に消臭フィルタ６４を取り外すことができる。また、この消臭フィルタ６４としては、活性炭を利用したものでもよいし、消臭剤を利用したもの等であってもよく、臭いを除去することができるものであればすべて適用可能である。
【００３８】
上記貫通孔６０の下方には、換気手段としての床下換気扇６８が配設されている。床下換気扇６８は、筒状のダクト７０と、ダクト７０内に配設された上下一対のファン７２とによって構成されている。ダクト７０の上端部は貫通孔６０に接続されており、又ダクト７０の中間部は床パネル２２の床材３２に形成された開口部７４を貫通し、更にダクト７０の下端部である換気口７６は床パネル２２の床大梁２８の配置位置にて開放されている。従って、ダクト７０の下端部は、床下空間３６とも連通されている。なお、この床下換気扇６８は逆流防止機能（外気遮断機能）を備えており、非作動時には図示しないシャッタが閉止されてダクト７０が閉塞されるようになっている。
【００３９】
さらに、上記下足箱本体１２内には、湿度検出手段としての湿度センサ７８が配設されている。湿度センサ７８はコントローラ４８に接続されており、常時下足箱本体１２内の湿度を検出してコントローラ４８にその検出結果を出力している。コントローラ４８では、「乾燥・換気モード」ボタンが押された場合の他、湿度センサ７８によって検出された下足箱本体１２内の湿度が所定値以上であった場合には、自動的に温風装置４６及び床下換気扇６８を作動させるようになっている。
【００４０】
なお、上記構成において、縦パイプ４２、横パイプ４４、及び吹付け部５０が本発明における収納物乾燥手段に相当する。
【００４１】
（作用・効果）
次に、本実施形態の作用並びに効果について説明する。
【００４２】
例えば、雨に濡れる等して湿気を多く含んだ下足５８を下足箱１０に収納する場合、まず、下足箱１０の正面側の開閉扉１４を開放させてから、図１及び図２に二点鎖線で示される如く、下足５８を下足ハンガ４０の吹付け部５０に挿し掛ける。次に、開閉戸１４を閉めて、コントローラ４８の「乾燥・換気モード」ボタンを押す。これにより、温風装置４６が作動して温風が生成され、縦パイプ４２に強制的に温風が送給される。送給された温風は、縦パイプ４２の先端部が閉止されているため、３本の横パイプ４４に流入される。横パイプ４４の先端部も閉止されているので、横パイプ４４に送給された温風は横パイプ４４と連通された一対の支持パイプ５２へ流入される。そして、一対の支持パイプ５２の図示しない温風噴出口から温風が噴出され、一対の支持パイプ５２に挿嵌されたコ字状の挿入パイプ５４内へ流入し、挿入パイプ５４の温風噴出口５６から温風が外部へ噴出される（図３の矢印が温風を表している）。
【００４３】
このため、濡れた下足５８はその内側から温風が直接吹付けられて乾き難い下足５８の内側が迅速に乾燥される。また、下足５８内から漏れ出た温風は下足箱本体１２内に充満し、下足５８を表面側から乾かしていく。その結果、下足５８は短時間で内側からも外側からも乾燥されて、良好な履き心地が得られた状態でそのまま下足ハンガ４０に収納される。従って、濡れた下足が長時間下足箱本体１２内に放置されることはないので、黴の発生や臭気の発生を抑制することができる。
【００４４】
また、上記と並行して、床下換気扇６８が作動される。これにより、下足箱本体１２の内気が吸引される。吸引された内気には下足５８を乾燥させた際に発生する水蒸気が含まれる他、下足５８から発生する臭気も含まれているが、かかる臭気を含んだ下足箱本体１２の内気は床下換気扇６８によって吸引されてダクト７０を通過する際に消臭フィルタ６４を必ず通るので、この際に消臭される。そして、消臭後のエアは図１及び図２の矢印Ａで示されるように床下空間３６へ排気され、床下空間３６内の通風気流（矢印Ｂ）に乗って基礎３４と外壁パネル２６との間の隙間３８から屋外へ排出される。従って、玄関１８に乾燥後の排気が逸散されることはない。
【００４５】
このように本実施形態では、下足ハンガ４０の吹付け部５０に下足５８を挿し掛け、下足５８に温風を直接吹き付けるようにしたので、下足５８を短時間で乾燥させることができる。従って、本実施形態によれば、衛生性能を向上させることができる。
【００４６】
また、下足ハンガ４０の吹付け部５０に下足５８を挿し掛けて収納状態とするので、換言すれば吹付け部５０の半分程度を下足５８内へ挿入させた状態で収納状態とするので、下足５８の内側から温風を直接吹付けることができる。従って、内部に温風が入り難い形状・構造の収納物であっても、短時間で効果的に乾燥させることができる。
【００４７】
さらに、下足ハンガ４０で下足５８を乾燥させる構成の他に、下足箱本体１２の内気を床下空間３６へ排気する床下換気扇６８を設けたので、下足５８を乾燥させた温風が居住空間に排気されることはない。例えば、夏季等において湿気を多く含んだ下足５８が下足箱１０に収納された場合、下足箱本体１２内は高温多湿環境下になることがあり、この状態で温風装置４６及び下足ハンガ４０を作動させて下足５８を乾燥させた際に、黴の胞子等が舞うことも考えられるが、床下換気扇６８によって下足箱本体１２の内気が床下空間３６へ排気されることにより、居住空間に黴の胞子等が侵入することを防ぐことができる。その結果、衛生性能を更に向上させることができる。
【００４８】
また、床下換気扇６８は床下空間３６の空気が下足箱本体１２内へ流入するのを阻止するシャッタ等で構成された逆流防止機能を有するので、床下換気扇６８の停止時において床下空間３６へ排出した排気が再び床下換気扇６８を通って下足箱本体１２内へ流入することがなくなる。従って、衛生性能をより一層向上させることができる。
【００４９】
さらに、床下換気扇６８の換気口７６を基礎３４近傍に配置したので、床下換気扇６８によって換気口７６から排出された下足箱本体１２の内気が自然の通気（気流Ｂ）によって屋外へ排出される。特に、ユニット住宅１６の場合には、基礎３４と外壁パネル２６との間に僅かな隙間３８が設定されているので、設備を利用した強制換気をしなくても、自然の通風で乾燥後の内気を短時間で屋外へ排気することができる。従って、衛生性能の向上と節電（省エネ）を両立させることができる。
【００５０】
また、下足箱本体１２内に湿度センサ７８を設け、下足箱本体１２内の湿度が所定値以上であった場合には、コントローラ４８によって自動的に温風装置４６及び床下換気扇６８を作動させるように制御するので、下足箱本体１２内の湿度管理を自動的に行うことができる。その結果、下足５８を常に最適な状態で収納し続けることができる。
【００５１】
さらに、本実施形態では、下足ハンガ４０に加え、消臭フィルタ６４を設置したので、下足５８を乾燥させるだけでなく、下足５８が発する臭いも除去することができる。その結果、衛生性能を臭気除去の観点から向上させることができる。
【００５２】
〔上記実施形態の補足説明〕
上述した本実施形態では、ユニット住宅１６の玄関１８が設置される建物ユニット２０に予め工場で下足箱１０を設置するものとして説明したが、これに限らず、先に建物ユニット２０を建築地に搬送し、建物ユニット２０の据付け作業が終わってから下足箱１０を建物ユニット２０内に設置するようにしてもよい。また、下足箱１０の適用対象は、ユニット工法で建築されるユニット住宅１６に限らず、ユニット工法以外の住宅でもよいし、住宅以外の公共施設等であってもよい。
【００５３】
また、上述した本実施形態では、下足箱１０に対して本発明を適用したが、これに限らず、収納庫であればよい。
【００５４】
さらに、上述した本実施形態では、下足ハンガ４０を高さ調節できない固定式のものとして構成したが、これに限らず、横パイプ４４の高さを縦パイプ４２の長手方向に調節できるようにしてもよい。その場合の構成としては、例えば、縦パイプ４２の側部に所定ピッチで雌ねじを形成しておくと共に横パイプ４４の基端部に雌ねじに螺合可能な雄ねじを形成しておき、適当な高さで横パイプ４４の雄ねじを縦パイプ４２の雌ねじに螺合させ、不要な雌ねじには雄ねじが形成されたキャップで閉止するようにすればよい。
【００５５】
また、上述した本実施形態では、温風装置４６を作動させるのと同時に床下換気扇６８も作動させる構成を採ったが、これに限らず、制御の仕方は種々の態様を採ることが可能である。例えば、「乾燥・換気モード」ボタンを１回押したら、温風装置４６と床下換気扇６８を同時に作動させるモードとなり、「乾燥・換気モード」ボタンを２回押したら、温風装置４６のみが作動する「乾燥モード」となり、「乾燥・換気モード」ボタンを３回押したら、床下換気扇６８のみが作動する「換気モード」となるようにしてもよい。また、各モードに対応してボタンを複数個設けるようにしてもよい。さらに、コントローラ４８にタイマを内蔵させて、「乾燥・換気モード」ボタンを１回押してから一定時間経過後に自動的に停止して、湿度センサ７８による自動運転モードに切り替わるようにしてもよいし、温風装置４６及び床下換気扇６８の少なくとも一方を間欠的に作動させるようにしてもよい。
【００５６】
加えて、図３（Ａ）に示されるように、吹付け部５０の挿入パイプ５４を一対の支持パイプ５２に対して所定ストロークの範囲内で挿入方向（矢印Ｃ方向）へスライド可能に構成し、下足５８を吹付け部５０に挿し掛けてから下足５８を横パイプ４４側へ押すと、スイッチがＯＮして、温風装置４６及び床下換気扇６８が例えば３０分間自動運転を行った後に停止するようにしてもよい。それでも乾かない場合には、再度、同様の操作を行う。
【図面の簡単な説明】
【００５７】
【図１】本実施形態に係る下足箱を側方から見た縦断面図である。
【図２】図１に示される下足箱を正面側から見た縦断面図である。
【図３】（Ａ）は吹付け部５０の縦断面図であり、（Ｂ）は吹付け部の正面図である。
【符号の説明】
【００５８】
１０      下足箱（収納庫）
１２      下足箱本体（収納庫本体）
１６      ユニット住宅（建物）
３４      基礎
３６      床下空間
４０      下足ハンガ（収納物乾燥手段）
４６      温風装置（温風生成装置）
４８      コントローラ（制御手段）
５０      吹付け部
５６      温風噴出口（温風吹出し口）
５８      下足（収納物）
６４      消臭フィルタ（脱臭・消臭手段）
６８      床下換気扇（換気手段）
７６      換気口
７８      湿度センサ（湿度検出手段）
【図１】
2008183134.tif 000003
【図２】
2008183134.tif 000004
【図３】
2008183134.tif 000005